(57)【要約】【課題】  日照による太陽電池の温度上昇が少なく発電機能に優れる太陽光発電装置を提供する。【解決手段】  太陽電池３上に、一対の透光性板体５ａ、５ｂがそれぞれの間に断熱空間層７を形成するように配置され、透光性板体５ａ、５ｂ面に赤外線遮断層４が付設されてなることを特徴とする太陽光発電装置。【選択図】図２
0003134842.tif 000002
【実用新案登録請求の範囲】
【請求項１】
太陽電池上に、一対の透光性板体がそれぞれの間に断熱空間層を形成するように配置され、前記透光性板体面に赤外線遮断層が付設されてなることを特徴とする太陽光発電装置。
【考案の詳細な説明】
【技術分野】
【０００１】  この考案は、太陽光発電装置に関する。
【背景技術】
【０００２】  一般家庭等においても太陽光発電装置が広く普及している。この太陽光発電装置は通常強い日照が得られる場合に効率よく発電がなされる。
【考案の開示】
【考案が解決しようとする課題】
【０００３】  しかしながら、最近、夏期等おいて長時間強い日照を受け続ける際に発電機能が低下することが問題となっている。これは、長時間の強い日照による温度上昇（６０〜７０℃）によって太陽電池の電気エネルギー変換機能が影響を受けることが原因と考えられる。【０００４】  この考案では、日照による太陽電池の温度上昇が少なく発電機能に優れる太陽光発電装置を提供することを目的とする。
【課題を解決するための手段】
【０００５】  この考案では、太陽電池上に、一対の透光性板体がそれぞれの間に断熱空間層を形成するように配置され、前記透光性板体面に赤外線遮断層が付設されてなることを特徴とする太陽光発電装置を提供する。【０００６】  この考案の太陽光発電装置によれば、まず透光性板体の赤外線遮断層により熱線である赤外線が遮断され、これにより太陽電池の温度上昇が抑制される。さらに断熱空間が有ることで外側の透光性板体から内側の透光性板体への熱伝導が遮断され、これによっても太陽電池の温度上昇が抑制される。その結果、夏期等における日照が強い際の太陽電池の発電機能が良好に保たれる。【０００７】  透光性板体としては、ガラス板、耐熱性樹脂板を用いる。透光性板への赤外線遮断層の付設は、液剤の塗布、フィルムの貼り付け等により適宜なされる。また、この考案の太陽光発電装置は、第２の実施形態に示すように、従来の設置の太陽光発電装置をそのまま用いて構成することも可能である。
【考案の効果】
【０００８】  この考案によれば、日照による太陽電池の温度上昇が少なく発電機能に優れる太陽光発電装置を提供することができる。
【考案を実施するための最良の形態】
【０００９】  図１はこの考案の太陽光発電装置の第１の実施形態の外観斜視図、図２は同部分拡大断面図である。【００１０】  太陽光発電装置１は全体が扁平な直方体形状で、金属製の外装枠体２内に太陽電池３と一対のガラスパネル（透光性板体）５ａ、５ｂとが配置されて構成されている。底板６上に太陽電池３、下側のガラスパネル５ｂが順次積層配置され、ガラスパネル５ｂと断熱空間層７を介して相対するように上側のガラスパネル５ａが設けられている。上側のガラスパネル５ａの下面側には赤外線遮断層４が一体に付設されている。【００１１】  外装枠体２は基枠２ａとその上部に装着される蓋枠２ｂとからなり、基枠２ａの上周縁には６ケ所に突出片８が一体に設けられ、この突出片８の上縁に下縁が載る状態に蓋枠２ｂは取り付けられ、これにより基枠２ａの側面周囲には上記断熱空間７に連通する複数個の通風口１０が形成されている。【００１２】  次に、上記太陽光発電装置１の組み立て施工について説明する。まず基枠２ａ内に底板６を装着し、その上部に太陽電池３、ガラスパネル５ｂを順次積層配置し、そのガラスパネル５ｂの上面周囲の複数箇所を下部片１２ａで押さえるようにコ字型金具１２それぞれを基枠２ａの突出片８それぞれの内面に固定する。その固定は、突出片８の内面に突設されるネジ１４にナット１５を螺着することで行う。次に上記コ字型金具１２それぞれの上部片１２ｂ上にガラスパネル５ａの周囲部を置き、そのガラスパネル５ａの周囲を押さえるように上部から蓋枠２ｂを装着し、４つのコーナー部において固定金具１７それぞれにより基枠２ａに一体に固定することで組み立ては完了される。【００１３】  次に、上記太陽光発電装置１の動作を説明する。太陽光がガラスパネル５ａ、５ｂを通して照射されることで太陽電池３が発電を行う。その際、まずガラスパネル５ａの赤外線遮断層４により熱線である赤外線が遮断され、これにより太陽電池３の温度上昇が抑制される。さらに断熱空間７が有ることでガラスパネル５ａからガラスパネル５ｂへの熱伝導が遮断され、これによっても太陽電池３の温度上昇が抑制される。断熱空間７は通風口８それぞれにより外部に連通していて内部の熱が外部に放出される構成とされていることで、高い断熱機能を発揮する。夏期の日射の強い場合、従来装置においては太陽電池面が６０〜７０℃にまで上昇して発電機能が損なわれることが確認されたが、この太陽光発電装置１においてはその温度上昇が５５℃程度に押さえられ、これにより発電機能は殆ど損なわれることがなかった。【００１４】  図３はこの考案の太陽光発電装置の第２の実施形態の外観斜視図、図４は同部分拡大断面図である。この実施形態においては、従来の太陽光発電装置Ａに熱遮断ユニットＢを取り付けてこの考案の太陽光発電装置１を形成しており、この実施形態によれば熱遮断ユニットＢを使用して従来の太陽光発電装置Ａの発電機能を向上させることが可能となる。なお、図３、図４において、上記第１の実施形態のものと同様の要素には同一の図番を使用しており、その説明は省略する。【００１５】  熱遮断ユニットＢはユニット枠１００にガラスパネル５ａが装着された構成で、その周囲部１０１には仕切り壁１０２それぞれに区���される複数個の通風口１０が設けられている。仕切り壁１０２それぞれの内面には支持リブ１０４それぞれが設けられ、それらの下端が太陽光発電装置Ａの蓋枠１０７の周囲部上に載置されて熱遮断ユニットＢは太陽光発電装置Ａ上に嵌め込み状態に取り付けられ、その周囲部１０１の下縁が太陽光発電装置Ａの蓋枠１０７の周面に沿ってシール材１１０により固着される。【００１６】  上記のようにして熱遮断ユニットＢが太陽光発電装置Ａ上に取り付けられることで、赤外線遮断層４を備えるガラスパネル５ａとガラスパネル５ｂとの間に外気と通風口１０により連通する断熱空間７が形成され、この太陽光発電装置１においても、上記第１の実施例のものと同様にして太陽電池３の温度上昇が抑制され、太陽電池の発電機能が良好に維持される。
【図面の簡単な説明】
【図１】  この考案の太陽光発電装置の第１の実施形態の外観斜視図
【図２】  この考案の太陽光発電装置の第１の実施形態の部分拡大断面図
【図３】  この考案の太陽光発電装置の第２の実施形態の外観斜視図
【図４】  この考案の太陽光発電装置の第２の実施形態の部分拡大断面図
【符号の説明】
１  太陽光発電装置
３  太陽電池
４  赤外線遮断層
５  ａガラスパネル（透光性板体）
５  ｂガラスパネル（透光性板体）
７  断熱空間
【図１】
0003134842.tif 000003
【図２】
0003134842.tif 000004
【図３】
0003134842.tif 000005
【図４】
0003134842.tif 000006